(57)【要約】      （修正有）【課題】収納された棒状物品を取り出しやすく、収納する際、蓋体を確実に閉めることができる容器を提供。【解決手段】容器本体と、蓋体とからなる容器に、底部が底面部と底面部の周囲から起立して筒状胴部の側壁と平行に延び、筒状胴部の側壁に沿ってスライドするスライド部と、筒状胴部とスライド部の対向し合う各面に設けられて対をなし、底部の上方移動時に底面部が筒状胴部下端の近傍上方の所定位置に到達したとき、係合して移動を停止させる、筒状胴部側の第一係合部およびスライド部側の第一係合部と、同じく筒状胴部とスライド部の対向し合う各面に設けられて対をなし、底部の下方移動時に底面部が筒状胴部下端の近傍下方の所定位置に到達したとき、係合して下方移動を停止させる、筒状胴部側の第二係合部およびスライド部側の第二係合部を備え、蓋体は、筒状胴部の上端よりも上方に容器内の収納空間を確保する内部クリアランスを持つ容器である。【選択図】図３
2010018294.tif 000002
【特許請求の範囲】
【請求項１】
少なくとも筒状胴部と底部を有する容器本体と、当該容器本体の開口部に対し着脱可能な蓋体とからなる容器であって、
前記底部は、底面部と、当該底面部の周囲から起立して前記筒状胴部の側壁と平行に延び、且つ、筒状胴部の側壁に沿ってスライドし、上下方向の可動性を底部に付与するスライド部と、前記筒状胴部と前記スライド部の対向し合う各面に設けられて対をなし、底部の上方移動時に、底面部が筒状胴部下端の近傍又はそれよりも上方の所定位置に到達したときに係合して上方移動を停止させる、筒状胴部側の第一係合部およびスライド部側の第一係合部と、同じく前記筒状胴部と前記スライド部の対向し合う各面に設けられて対をなし、底部の下方移動時に、底面部が筒状胴部下端の近傍又はそれよりも下方の所定位置に到達したときに係合して下方移動を停止させる、筒状胴部側の第二係合部およびスライド部側の第二係合部を備え、
前記蓋体は、筒状胴部の上端よりも上方に容器内の収納空間を確保する内部クリアランスを有していることを特徴とする容器。
【請求項２】
前記スライド部は、前記筒状胴部の側壁内面に沿ってスライドする配置をとり、前記筒状胴部のスライド部と対向し合う面に、前記筒状胴部側の第一係合部として機能し、且つ、前記筒状胴部側の第二係合部としても機能する筒状胴部側係合突起が設けられ、前記スライド部の筒状胴部と対向し合う外面の所定位置に、前記スライド部側の第一係合部として機能する、スライド部側第一係合突起が設けられ、当該スライド部の外面の前記スライド部側第一係合突起が設けられた位置よりも上方に、前記スライド部側の第二係合部として機能する、スライド部側第二係合突起が設けられている、請求項１に記載の容器。
【請求項３】
前記スライド部は、前記筒状胴部の側壁内面に沿ってスライドする配置をとり、前記筒状胴部のスライド部と対向し合う面に、前記筒状胴部側の第一係合部として機能する、筒状胴部側第一係合突起が設けられ、当該筒状胴部のスライド部と対向し合う面の前記筒状胴部側第一係合突起が設けられた位置よりも下方に、前記筒状胴部側の第二係合部として機能する、筒状胴部側第二係合突起が設けられており、前記スライド部の筒状胴部と対向し合う外面の所定位置に、前記スライド部側の第一係合部として機能し、且つ、前記スライド部側の第二係合部としても機能するスライド部側係合突起が設けられている、請求項１に記載の容器。
【請求項４】
前記スライド部の筒状胴部と対向し合う外面の下端又はその近傍に、前記スライド部側第一係合突起が設けられ、
前記スライド部の外面の上端又はその近傍に前記スライド部側第二係合突起が設けられている、請求項２に記載の容器。
【請求項５】
前記蓋体のクリアランス高さは、底部の上下方向の可動距離以上確保されている、請求項１乃至４のいずれか一項に記載の容器。
【請求項６】
前記請求項１に記載の容器に、前記底部の底面部が上方移動の停止位置にあるときに前記筒状胴部の上端よりも上に突出し、前記底部の底面部が下方の停止位置にあるときに前記筒状胴部の上端よりも下に隠れる長さを有する棒状物品が収納されていることを特徴とする、包装体。
【請求項７】
前記棒状物品として綿棒が収納されている請求項６に記載の包装体。
【発明の詳細な説明】
【技術分野】
【０００１】
本発明は、綿棒、楊枝、割り箸等の棒状物品を直立収納する容器に関する。
【背景技術】
【０００２】
従来、この種の容器として、上方に開口部を有すると共に、多数の棒状物品を直立収納する容器本体と、当該容器本体の開口部を開閉する蓋体とからなるものが知られている。
特許文献１には、開口部を有する収納容器本体と、当該開口部を開閉する蓋体とからなり、当該容器本体の内底に棒状物品の下端を支持する台紙を配置し、当該台紙中央からつまみ舌片を上方に延出した収納容器が開示されている。当該収納容器は、使用時には蓋体を取り外して、つまみ舌片を引き上げることにより、上記台紙上の棒状物品を浮上させて、当該棒状物品の上端を容器開口部から突出させ、当該棒状物品を取り出すようにしている。
【０００３】
【特許文献１】実開平５−５４３６８号公報
【発明の開示】
【発明が解決しようとする課題】
【０００４】
しかしながら、上記収納容器は棒状物品の全長より若干高く形成され、一方、つまみ舌片は棒状物品の全長より極めて長く形成されているため、蓋体を閉じた状態では、つまみ舌片上端のつまみ部は、当該容器内に折り曲げられた状態で収納されている。従って、棒状物品を取り出す際には、蓋体を取り外した後、折れ曲がった上記つまみ部を起こして引き上げる必要があるため、当該棒状物品の取り出し作業が面倒であるという問題がある。また、上記つまみ舌片が折れ曲がらないように短くすると、つまみ舌片上端のつまみ部がつまみ難くなり、引き上げ難くいという問題がある。
【０００５】
上記実情に鑑み、本発明は、容器内に収納された棒状物品を取り出しやすく、且つ、当該棒状物品を収納する際に蓋体を確実に閉めることができる容器を提供することを目的とする。
【課題を解決するための手段】
【０００６】
本発明者らは、鋭意検討の結果、容器本体を形成する筒状胴部と底部とを別部材とし、当該底部を当該筒状胴部の側壁に沿って上下可動とし、且つ、当該容器本体の開口部に対して、着脱可能な特定の構造を有する蓋体を設けることにより、上記課題が解決されるという知見を見出し、本発明を完成させるに至った。
すなわち、本発明に係る容器は、少なくとも筒状胴部と底部を有する容器本体と、当該容器本体の開口部に対し着脱可能な蓋体とからなる容器であって、
前記底部は、底面部と、当該底面部の周囲から起立して前記筒状胴部の側壁と平行に延び、且つ、筒状胴部の側壁に沿ってスライドし、上下方向の可動性を底部に付与するスライド部と、前記筒状胴部と前記スライド部の対向し合う各面に設けられて対をなし、底部の上方移動時に、底面部が筒状胴部下端の近傍又はそれよりも上方の所定位置に到達したときに係合して上方移動を停止させる、筒状胴部側の第一係合部およびスライド部側の第一係合部と、同じく前記筒状胴部と前記スライド部の対向し合う各面に設けられて対をなし、底部の下方移動時に、底面部が筒状胴部下端の近傍又はそれよりも下方の所定位置に到達したときに係合して下方移動を停止させる、筒状胴部側の第二係合部およびスライド部側の第二係合部を備え、
前記蓋体は、筒状胴部の上端よりも上方に容器内の収納空間を確保する内部クリアランスを有していることを特徴とする。
【０００７】
本発明によれば、容器本体を形成する筒状胴部と底部とを別部材とし、当該底部を当該筒状胴部の側壁に沿って上下可動とすることで、当該底部を上方移動させることにより、容器本体内に収納された棒状物品の上端部が、当該容器本体の上端から末広がりに突出し、当該棒状物品の上端側は下端側よりも隣接する棒状物品の間隔が広くなるため、当該容器本体内に収納された棒状物品を容易に取り出すことができる。一方、当該容器本体の上端から棒状物品が末広がりに突出した状態で、当該容器本体の開口部に対して蓋体を閉めようとすると、当該棒状物品の上端部が当該蓋体の開口部に触れるため、当該容器本体の開口部に対して蓋体を閉めることが困難である。これに対して、当該底部を下方移動させることにより、容器本体の上端から末広がりに突出した棒状物品が、当該容器本体内に納められ、当該棒状物品の上端部が、当該容器本体の上端より下方となりため、当該棒状物品からの干渉を受けることなく、当該蓋体を当該容器本体の開口部に対して確実に閉めることができる。また、蓋体を、当該筒状胴部の上端よりも上方に容器内の収納空間を確保し得る構造とすることにより、当該筒状胴部上端の開口部から、蓋体が棒状の内容物に押し上げられて外れる事態を防止することができる。
【０００８】
本発明に係る容器の一実施形態においては、前記スライド部が、前記筒状胴部の側壁内面に沿ってスライドする配置をとり、前記筒状胴部のスライド部と対向し合う面に、前記筒状胴部側の第一係合部として機能し、且つ、前記筒状胴部側の第二係合部としても機能する筒状胴部側係合突起が設けられ、前記スライド部の筒状胴部と対向し合う外面の所定位置に、前記スライド部側の第一係合部として機能する、スライド部側第一係合突起が設けられ、当該スライド部の外面の前記スライド部側第一係合突起が設けられた位置よりも上方に、前記スライド部側の第二係合部として機能する、スライド部側第二係合突起が設けることにより、当該容器内に収納された棒状物品を容易に取り出すことができ、且つ、当該棒状物品を収納する際に蓋体を確実に閉めることができる。
【０００９】
本発明に係る容器の別の実施形態においては、前記スライド部が、前記筒状胴部の側壁内面に沿ってスライドする配置をとり、前記筒状胴部のスライド部と対向し合う面に、前記筒状胴部側の第一係合部として機能する、筒状胴部側第一係合突起が設けられ、当該筒状胴部のスライド部と対向し合う面の前記筒状胴部側第一係合突起が設けられた位置よりも下方に、前記筒状胴部側の第二係合部として機能する、筒状胴部側第二係合突起が設けられており、前記スライド部の筒状胴部と対向し合う外面の所定位置に、前記スライド部側の第一係合部として機能し、且つ、前記スライド部側の第二係合部としても機能するスライド部側係合突起が設けることにより、当該容器内に収納された棒状物品を容易に取り出すことができ、且つ、当該棒状物品を収納する際に蓋体を確実に閉めることができる。
【００１０】
上記の各実施形態に属する容器においては、前記スライド部の筒状胴部と対向し合う外面の下端又はその近傍に、前記スライド部側第一係合突起が設けられ、前記スライド部の外面の上端又はその近傍に前記スライド部側第二係合突起が設け設けることにより、当該容器内に収納された棒状物品を容易に取り出すことができ、且つ、当該棒状物品を収納する際に蓋体を確実に閉めることができる。
【００１１】
本発明に係る容器においては、前記蓋体のクリアランス高さが、底部の上下方向の可動距離以上確保されていることにより、当該底部の底面部が上方移動の停止位置にある時でも、容器本体の開口部から、蓋体が棒状の内容物に押し上げられて外れる事態を防止することができる。
【００１２】
本発明に係る包装体は、本発明に係る容器に、前記底部の底面部が上方移動の停止位置にあるときに前記筒状胴部の上端よりも上に突出し、前記底部の底面部が下方の停止位置にあるときに前記筒状胴部の上端よりも下に隠れる長さを有する棒状物品が収納されていることを特徴とする。
本発明によれば、容器内に収納された棒状物品を容易に取り出すことができ、且つ、当該棒状物品を収納する際に蓋体を確実に閉めることができる。
【００１３】
本発明に係る包装体においては、容器内に収納された棒状物品を衛生的且つ容易に取り出せるため、綿棒を収納するのに好適である。
【発明の効果】
【００１４】
本発明によれば、容器本体を形成する筒状胴部と底部とを別部材とし、当該底部を当該筒状胴部の側壁に沿って上下可動とし、且つ、当該容器本体の開口部に対して、当該筒状胴部の上端よりも上方に容器内の収納空間を確保し得る蓋体を設けることにより、当該容器内に収納された棒状物品を容易に取り出すことができ、且つ、当該棒状物品を収納する際に蓋体を確実に閉めることができる。
【発明を実施するための最良の形態】
【００１５】
本発明の容器は、少なくとも筒状胴部と底部を有する容器本体と、当該容器本体の開口部に対し着脱可能な蓋体とからなる容器であって、
前記底部は、底面部と、当該底面部の周囲から起立して前記筒状胴部の側壁と平行に延び、且つ、筒状胴部の側壁に沿ってスライドし、上下方向の可動性を底部に付与するスライド部と、前記筒状胴部と前記スライド部の対向し合う各面に設けられて対をなし、底部の上方移動時に、底面部が筒状胴部下端の近傍又はそれよりも上方の所定位置に到達したときに係合して上方移動を停止させる、筒状胴部側の第一係合部およびスライド部側の第一係合部と、同じく前記筒状胴部と前記スライド部の対向し合う各面に設けられて対をなし、底部の下方移動時に、底面部が筒状胴部下端の近傍又はそれよりも下方の所定位置に到達したときに係合して下方移動を停止させる、筒状胴部側の第二係合部およびスライド部側の第二係合部を備え、
前記蓋体は、筒状胴部の上端よりも上方に容器内の収納空間を確保する内部クリアランスを有していることを特徴とする。
【００１６】
以下、本発明に係る棒状物品を収納した容器として綿棒容器を例にとり、図面を参照しつつ詳細に説明する。尚、以下に示す各図は、断面模式図であり、実寸とは異なるものである。
【００１７】
図１〜図３に示す容器１は、本発明に係る容器の好適な実施形態のうちの第一の実施形態である。図１は、本発明に係る容器１を机６から持ち上げた状態を表している。当該容器１は、上下両端が開口した筒状胴部２と底部３とを有する容器本体と、当該筒状胴部２の上端の開口部に対して着脱可能な蓋体４とからなる。各部材は、例えば、ポリエチレン、ポリプロピレン等の樹脂で形成されており、当該容器１内には、綿棒５が収納されている。
前記底部３は、底面部３ａと、当該底面部３ａの周囲から起立して前記筒状胴部２の側壁内面２ａに対して平行に延び、当該側壁内面２ａに沿って上下方向に可動するスライド部３ｂを有する。当該スライド部３ｂの当該筒状胴部２と対向し合う外面（側壁外面３ｃ）の下端には、スライド部側第一係合突起３ｅが設けられ、当該スライド部３ｂの側壁外面３ｃの上端には、スライド部側第二係合突起３ｆが設けられている。前記筒状胴部２の前記スライド部３ｂと対向し合う面（側壁内面２ａ）の下端には、筒状胴部側係合突起２ｃが設けられている。当該筒状胴部２の側壁内面２ａの下端に設けた筒状胴部側係合突起２ｃと当該スライド部３ｂの側壁外面３ｃの上端に設けたスライド部側第二係合突起３ｆとが係合し、当該筒状胴部２の下端から当該底部３が抜け落ちることがないようになっている。また、当該スライド部側第二係合突起３ｆの先端が当該筒状胴部２の側壁内面２ａに当接し、当該筒状胴部側係合突起２ｃの先端が当該スライド部３ｂの側壁外面３ｃに当接することで、当該筒状胴部２下端の開口部は、当該底部３により閉塞されている。これにより、当該容器１内の密閉性が保たれ、当該容器１内への粉塵の侵入を防止することができる。
また、容器本体を形成する上記筒状胴部２と上記底部３とを別部材とすることで、当該底部３は、スライド部３ｂに誘導されて、上記筒状胴部側係合突起２ｃと上記スライド部側第二係合突起３ｆとが係合して当該底部３の下方移動を停止させる位置（Ｌ１）から当該筒状胴部側係合突起２ｃと上記スライド部側第一係合突起３ｅとが係合して当該底部３の上方移動を停止させる位置（Ｌ２）までの間（Ｌ１〜Ｌ２）を自由に移動できる。このように、本実施形態では、前記筒状胴部側係合突起２ｃが、底部３の上方移動を停止させる筒状胴部側の第一係合部と、底部３の下方移動を停止させる筒状胴部側の第二係合部の機能を兼ねている。
筒状胴部２の上端部と蓋体４の下端部は互いに嵌合しており、当該蓋体４は当該筒状胴部２の上端よりも上方に容器内の収納空間を確保できる内部クリアランスを有している。当該蓋体４は、内部クリアランスを有する形状であれば特に限定されないが、典型的にはドーム状である。また、当該筒状胴部２の上端から当該蓋体４の上壁内面４ａまでの高さ（クリアランス高さ）ｈを、前記底部３の上下方向の可動距離（Ｌ１〜Ｌ２）以上とすることで、当該底部３の底面部３ａが上方移動の停止位置にある時でも、当該筒状胴部２上端の開口部から、蓋体４が棒状の内容物に押し上げられて外れる事態を防止できる。
尚、図１に示すように、当該容器１を持ち上げた状態では、当該容器１内の綿棒５上端部は、当該筒状胴部２の上端よりも下方となる。
【００１８】
図２は、図１に示す容器１を机上に置いた状態を表している。図２に示すように、当該容器１を机上に置くと、当該容器１の底部３は、筒状胴部側係合突起２ｃとスライド部側第二係合突起３ｆとが係合して当該底部３の下方移動を停止させる位置（Ｌ１）から当該筒状胴部側係合突起２ｃとスライド部側第一係合突起３ｅとが係合して当該底部３の上方移動を停止させる位置（Ｌ２）まで、当該筒状胴部２の側壁内面２ａに沿って上方移動する。この時、当該スライド部側第二係合突起３ｆの先端が当該筒状胴部２の側壁内面２ａに当接し、当該筒状胴部側係合突起２ｃの先端が当該底部３の側壁外面３ｃに当接することにより、当該容器１内の密閉性は保持され、当該容器１内への粉塵の侵入を防止することができる。
尚、図２に示すように、当該容器１を机上に置いた状態では、当該容器１内の綿棒５上端部は、当該筒状胴部２の上端よりも上方となる。
【００１９】
次に、図３に示すように、当該筒状胴部２上端の開口部から蓋体４を取り外すと、当該筒状胴部２と当該底部３とからなる容器本体内の綿棒５の上端部が、当該筒状胴部２上端から末広がりに突出し、当該綿棒５の上端側は下端側よりも隣接する綿棒の間隔が広くなる。したがって、当該綿棒５を、隣接する他の綿棒上端部に触れることなく、容易に取り出すことができる。
【００２０】
また、図３に示すように、当該容器本体の上端から綿棒５の上端部が末広がりに突出した状態で、当該容器本体の開口部に対して蓋体４を閉めようとすると、当該綿棒５の上端部が当該蓋体４の開口部に触れるため、当該容器本体の開口部に対して蓋体４を閉めることが困難である。これに対して、上記筒状胴部２を手で持ち、机上から持ち上げると、上記底部３が、筒状胴部側係合突起２ｃとスライド部側第二係合突起３ｆとが係合して当該底部３の下方移動を停止させる位置（Ｌ１）まで下降するため、綿棒５は上記容器本体内に再び収納される。この時、当該綿棒５上端部は当該筒状胴部２の上端よりも下方となるため、当該綿棒５からの干渉を受けることなく、当該蓋体４を当該筒状胴部２上端の開口部に対して、確実に閉めることができる。
【００２１】
尚、本発明に係る容器に収納される棒状物品として、上述した綿棒以外の例としては、楊枝、割り箸等が挙げられる。また、当該容器内に収納される棒状物品の取り出し易さの点から、前記筒状胴部側の第一係合部と前記スライド部側の第一係合部とが係合して前記底部の上方移動を停止させる位置と、前記筒状胴部側の第二係合部と前記スライド部側の第二係合部とが係合して前記底部の下方移動を停止させる位置との間の長さは、当該棒状物品の全長の半分以下であることが好ましい。
【００２２】
以下に示す図４〜図８は、上述した本発明に係る容器の第一の実施形態の変形例である。尚、図４〜図８に示す各実施形態において、上記第一の実施形態と同一又は相当する部分には同じ記号を付し、説明は省略する。
【００２３】
図４は、本発明に係る容器の好適な実施形態のうちの第二の実施形態である。尚、図４は、本発明に係る容器１を机６から持ち上げた状態を表している。底部３は、底面部３ａと、当該底面部３ａの周囲から起立して筒状胴部２の側壁内面２ａに対して平行に延び、当該側壁内面２ａに沿って上下方向に可動するスライド部３ｂを有する。当該スライド部３ｂの当該筒状胴部２と対向し合う外面（側壁外面３ｃ）の上端には、スライド部側係合突起３ｇが設けられている。また、筒状胴部２の前記スライド部３ｂと対向し合う面（側壁内面２ａ）の所定位置には、筒状胴部側第一係合突起２ｄが設けられ、当該筒状胴部２の側壁内面２ａの下端には、筒状胴部側第二係合突起２ｅが設けられている。当該底部３は、スライド部３ｂに誘導されて、前記筒状胴部側第二係合突起２ｅとスライド部側係合突起３ｇとが係合して当該底部３の下方移動を停止させる位置（Ｌ１）から当該筒状胴部側第一係合突起２ｄとスライド部側係合突起３ｇとが係合して当該底部３の上方移動を停止させる位置（Ｌ２）までの間（Ｌ１〜Ｌ２）を自由に移動できる。このように、本実施形態では、前記スライド部側係合突起３ｇが、底部３の上方移動を停止させるスライド部側の第一係合部と、底部３の下方移動を停止させるスライド部側の第二係合部の機能を兼ねている。
【００２４】
図５は、本発明に係る容器の好適な実施形態のうちの第三の実施形態である。尚、図５は、本発明に係る容器１を机６から持ち上げた状態を表している。底部３は、底面部３ａと、当該底面部３ａの周囲から下方に、筒状胴部２の側壁内面２ａに対して平行に延び、当該側壁内面２ａに沿って上下方向に可動するスライド部３ｂを有する。当該スライド部３ｂの当該筒状胴部２と対向し合う外面（側壁外面３ｃ）の下端には、スライド部側第一係合突起３ｅが設けられ、当該スライド部３ｂの側壁外面３ｃの上端には、スライド部側第二係合突起３ｆが設けられている。また、筒状胴部２の前記スライド部３ｂと対向し合う面（側壁内面２ａ）の下端には、筒状胴部側係合突起２ｃが設けられている。当該底部３は、スライド部３ｂに誘導されて、筒状胴部側係合突起２ｃとスライド部側第二係合突起３ｆとが係合して当該底部３の下方移動を停止させる位置（Ｌ１）から当該筒状胴部側係合突起２ｃとスライド部側第一係合突起３ｅとが係合して当該底部３の上方移動を停止させる位置（Ｌ２）までの間（Ｌ１〜Ｌ２）を自由に移動できる。このように、本実施形態では、前記筒状胴部側係合突起２ｃが、底部３の上方移動を停止させる筒状胴部側の第一係合部と、底部３の下方移動を停止させる筒状胴部側の第二係合部の機能を兼ねている。
【００２５】
図６は、本発明に係る容器の好適な実施形態のうちの第四の実施形態である。尚、図６は、本発明に係る容器１を机上に置いた状態を表している。底部３は、底面部３ａと、当該底面部３ａの周囲から、当該底面部３ａよりも上方に延びた部分と当該底面部３ａよりも下方に延びた部分とからなる、筒状胴部２の側壁内面２ａに対して平行なスライド部３ｂを有する。当該スライド部３ｂは、当該側壁内面２ａに沿って上下方向に可動する。当該スライド部３ｂの当該筒状胴部２と対向し合う外面（側壁外面３ｃ）の下端には、スライド部側第一係合突起３ｅが設けられ、当該スライド部３ｂの側壁外面３ｃの上端には、スライド部側第二係合突起３ｆが設けられている。また、筒状胴部２の前記スライド部３ｂと対向し合う面（側壁内面２ａ）の下端には、筒状胴部側係合突起２ｃが設けられている。当該底部３は、スライド部３ｂに誘導されて、筒状胴部側係合突起２ｃとスライド部側第二係合突起３ｆとが係合して当該底部３の下方移動を停止させる位置（Ｌ１）から当該筒状胴部側係合突起２ｃとスライド部側第一係合突起３ｅとが係合して当該底部３の上方移動を停止させる位置（Ｌ２）までの間（Ｌ１〜Ｌ２）を自由に移動できる。このように、本実施形態では、前記筒状胴部側係合突起２ｃが、底部３の上方移動を停止させる筒状胴部側の第一係合部と、底部３の下方移動を停止させる筒状胴部側の第二係合部の機能を兼ねている。
【００２６】
図７は、本発明に係る容器の好適な実施形態のうちの第五の実施形態である。尚、図７は、本発明に係る容器１を机６から持ち上げた状態を表している。筒状胴部２の側壁内面２ａの下端には、筒状胴部側係合突起２ｃが設けられている。また、底部３は、底面部３ａと、当該底面部３ａの周囲に形成された、筒状胴部２の側壁内面２ａに沿って上下方向に可動するスライド部３ｂを有する。当該スライド部３ｂの略中間には、前記筒状胴部側係合突起２ｃと係合する突起部３ｉが形成されており、当該スライド部３ｂの突起部３ｉよりも上方は、突起部３ｉと同じ高さに形成され、且つ、前記筒状胴部２の側壁内面２ａに沿って延び、一方、当該スライド部３ｂの突起部３ｉよりも下方は、当該側壁内面２ａに対して平行に延びている。当該スライド部３ｂの当該筒状胴部２と対向し合う外面（側壁外面３ｃ）の下端には、スライド部側第一係合突起３ｅが設けられている。また、当該スライド部３ｂの突起部３ｉよりも上方に延びた部分が、当該筒状胴部２の側壁内面２ａに当接しているため、他の実施形態と比較して当該容器１内の密閉性は優れている。当該底部３は、スライド部３ｂに誘導されて、筒状胴部側係合突起２ｃとスライド部３ｂの突起部３ｉとが係合して当該底部３の下方移動を停止させる位置（Ｌ１）から当該筒状胴部側係合突起２ｃとスライド部側第一係合突起３ｅとが係合して当該底部３の上方移動を停止させる位置（Ｌ２）までの間（Ｌ１〜Ｌ２）を自由に移動できる。このように、本実施形態では、前記筒状胴部側係合突起２ｃが、底部３の上方移動を停止させる筒状胴部側の第一係合部と、底部３の下方移動を停止させる筒状胴部側の第二係合部の機能を兼ねている。また、前記スライド部３ｂの突起部３ｉが、底部３の下方移動を停止させるスライド部側の第二係合部として機能している。尚、本実施形態においては、当該スライド部３ｂの突起部３ｉよりも上方に延びた部分を含めて、当該スライド部側の第二係合部として機能する突起部とみなすこともできる。
【００２７】
図８は、本発明に係る容器の好適な実施形態のうちの第六の実施形態である。尚、図８は、本発明に係る容器１を机上に置いた状態を表している。底部３は、底面部３ａと、当該底面部３ａの周囲から起立して筒状胴部２の側壁外面２ｂに対して平行に延び、当該側壁外面２ｂに沿って上下方向に可動するスライド部３ｂを有する。当該スライド部３ｂの当該筒状胴部２と対向し合う内面（側壁内面３ｄ）の上端には、スライド部側第二係合突起３ｆが設けられている。また、筒状胴部２の前記スライド部３ｂと対向し合う面（側壁外面２ｂ）の下端には、筒状胴部側係合突起２ｃが設けられている。当該底部３は、スライド部３ｂに誘導されて、筒状胴部側係合突起２ｃとスライド部側第二係合突起３ｆとが係合して当該底部３の下方移動を停止させる位置（Ｌ１）から当該筒状胴部側係合突起２ｃと前記底面部３ａの内壁３ｈとが係合して当該底部３の上方移動を停止させる位置（Ｌ２）までの間（Ｌ１〜Ｌ２）を自由に移動できる。このように、本実施形態では、前記筒状胴部側係合突起２ｃが、底部３の上方移動を停止させる筒状胴部側の第一係合部と、底部３の下方移動を停止させる筒状胴部側の第二係合部の機能を兼ねている。また、前記底面部３ａの内壁３ｈの筒状胴部側係合突起２ｃと係合する部分が、底部３の上方移動を停止させるスライド部側の第一係合部として機能している。
【００２８】
尚、本発明は、上記実施形態に限定されるものではない。上記実施形態は例示であり、本発明の特許請求の範囲に記載された技術的思想と実質的に同一の構成を有し、同様な作用効果を奏するものは、いかなるものであっても本発明の技術的範囲に包含される。
【図面の簡単な説明】
【００２９】
【図１】本発明に係る容器を机上から持ち上げた状態を表す断面模式図である。
【図２】本発明に係る容器を机上に置いた状態を表す断面模式図である。
【図３】図２に示す容器の蓋体を取り外した状態を表す断面模式図である。
【図４】本発明に係る容器の一例の断面模式図である。
【図５】本発明に係る容器の一例の断面模式図である。
【図６】本発明に係る容器の一例の断面模式図である。
【図７】本発明に係る容器の一例の断面模式図である。
【図８】本発明に係る容器の一例の断面模式図である。
【符号の説明】
【００３０】
１  容器
２  筒状胴部
２ａ  筒状胴部の側壁内面
２ｂ  筒状胴部の側壁外面
２ｃ  筒状胴部側係合突起
２ｄ  筒状胴部側第一係合突起
２ｅ  筒状胴部側第二係合突起
３  底部
３ａ  底面部
３ｂ  スライド部
３ｃ  底部の側壁外面
３ｄ  底部の側壁内面
３ｅ  スライド部側第一係合突起
３ｆ  スライド部側第二係合突起
３ｇ  スライド部側係合突起
３ｈ  底面部の内壁
３ｉ  突起部
４  蓋体
４ａ  蓋体の上壁内面
５  綿棒（棒状物品）
６  机
Ｌ１  底部の下方移動を停止させる位置
Ｌ２  底部の上方移動を停止させる位置
ｈ  クリアランス高さ
【図１】
2010018294.tif 000003
【図２】
2010018294.tif 000004
【図３】
2010018294.tif 000005
【図４】
2010018294.tif 000006
【図５】
2010018294.tif 000007
【図６】
2010018294.tif 000008
【図７】
2010018294.tif 000009
【図８】
2010018294.tif 000010